(57)【特許請求の範囲】
【請求項１】
被加熱物を収納して加熱する加熱室と、この加熱室に高周波を供給する高周波発生装置と、前記加熱室の開口面に対向し、高周波の漏洩を防止するシールドバン、前記加熱室を透視するスクリーンガラス、高周波発生装置などを制御，操作，表示する操作パネルユニットを搭載した開閉自在な扉を備え、上記シールドバンと操作パネルユニットとの間には、扉と一体形成され、前記加熱室からの蒸気、熱気が前記操作パネルユニット側に流入しないようにする遮蔽壁を設けるとともに、前記操作パネルユニットはその上部に設けた凸部で前記スクリーンガラスを挟持して前記扉に挿入固定し、下部を当該扉の下部側面に装着しビス等で係止して着脱可能とした高周波加熱装置。
【発明の詳細な説明】
【０００１】
【発明の属する技術分野】
本発明は、電子レンジ等の高周波加熱装置に関するものである。
【０００２】
【従来の技術】
従来この装置は図３，図４に示すように、加熱室１の開口部に位置する扉２の組立構成は、キーボード３、制御基板４からなる操作パネルユニット５を扉２に取付ビス６にて固定した後、矢印Ａ７で周囲に電波チョーク溝を有するシールドバン８、矢印Ｂ９でシールドバン取付ビス１０、矢印Ｃ１１でチョークカバー１２を順次取り付ける構成である。
【０００３】
従って不良が発生した時の操作パネルユニット５のサービス時は組立時とは逆の分解が必要となる。また、加熱室１の内部は被加熱物から発生する蒸気，熱気１３が加熱室１とシールドバン８の隙間から矢印Ｄ１４方向へ流入し易い構造となっている。
【０００４】
【発明が解決しようとする課題】
この従来の構成の場合、加熱室１側からの操作パネルユニット５を装着するため、嵌合部に空間，隙間が発生するため加熱室１からの蒸気，熱気１３が操作パネルユニット５に流入し、微少電流，電圧で制御している電気回路が漏電，絶縁不良となり品質性能に課題が生じた。また、操作パネルユニット５のサービス時には、電波遮蔽性能に影響のあるシールドバン８等を取り外さないと部品交換が出来ないため、スピーディで信頼性の高いサービスができ難かった。また、近年使用済み製品のリサイクル時に管理対象材質を多く含む制御回路部材の分解，分別を容易にすることも大きな社会的要望となってきている。
【０００５】
そして操作パネルユニット５表面は毎回使用時に手に触れるため清掃し易く衛生的であることが必要条件である。
【０００６】
【課題を解決するための手段】
本発明は上記課題を解決するため、加熱室の開口面に対向し、高周波の漏洩を防止するシールドバン、前記加熱室を透視するスクリーンガラス、高周波発生装置などを制御，操作，表示する操作パネルユニットを搭載した開閉自在な扉を備え、上記シールドバンと操作パネルユニットとの間には、扉と一体形成され、前記加熱室からの蒸気、熱気が前記操作パネルユニット側に流入しないようにする遮蔽壁を設けるとともに、前記操作パネルユニットはその上部に設けた凸部で前記スクリーンガラスを挟持して前記扉に挿入固定し、下部を当該扉の下部側面に装着しビス等で係止して着脱可能としたものである。
【０００７】
【発明の実施の形態】
本発明の高周波加熱装置は、被加熱物を収納して加熱する加熱室と、この加熱室に高周波を供給する高周波発生装置と、前記加熱室の開口面に対向し、高周波の漏洩を防止するシールドバン、前記加熱室を透視するスクリーンガラス、高周波発生装置などを制御，操作，表示する操作パネルユニットを搭載した開閉自在な扉を備え、上記シールドバンと操作パネルユニットとの間には、扉と一体形成され、前記加熱室からの蒸気、熱気が前記操作パネルユニット側に流入しないようにする遮蔽壁を設けるとともに、前記操作パネルユニットはその上部に設けた凸部で前記スクリーンガラスを挟持して前記扉に挿入固定し、下部を当該扉の下部側面に装着しビス等で係止して着脱可能とした構成としてある。
被加熱物を収納して加熱する加熱室と、この加熱室に高周波を供給する高周波発生装置と、前記加熱室の開口面に対向し、高周波の漏洩を防止するシールドバン、前記加熱室を透視するスクリーンガラス、高周波発生装置などを制御，操作，表示する操作パネルユニットを搭載した開閉自在な扉を備え、上記操作パネルユニットは前記扉の表面側から脱着可能としたものである。
【０００８】
これにより、作パネルユニットは前記扉の表面側から脱着できるとともに、加熱室側からの蒸気，熱気が操作パネルユニットに流入することを防ぎ品質トラブルの解消と、操作パネルユニットのサービス時の信頼性の向上及び、使用済み製品のリサイクル時の分解，分別を容易にするものである。
【０００９】
また、操作パネルユニットは上部をスクリーンガラスを挟持して扉に挿入固定し、下部を上記扉の下部側面にビス等で係止してあるから、操作パネルユニットの表面を清掃し易いように凹凸のないフラット構造にし、清掃し易く衛生的な構成となる。
【００１０】
【実施例】
（実施例１）
以下本発明の実施例１を図面に基づいて説明する。図１（ａ）は実施例１の高周波加熱装置の外観図であり、（ｂ）は同要部の拡大詳細図である。また、図２は図１（ｂ）に相当する部分での組立順序を示した図である。
【００１１】
図において、加熱室１の底部に内蔵した高周波発生装置１５から加熱室１に高周波が照射される。被加熱物が収納されている加熱室１の開口部にはヒンジ１６を支点に回動自在な扉２Ａが装着されている。扉２Ａは加熱室１側には扉２Ａに取付ビス１０にて固定され、周囲をチョーク溝を有し、加熱室１内に照射された高周波が製品外に漏洩することを防止するシールドバン８と、シールドバン８のチョーク溝を覆うチョークカバー１２が配置されている。そして扉２Ａの表面側には、中央部には加熱室１を透視するためのスクリーンガラス１７、下部には運転情報を入力するキーボード３、及び高周波発生装置１５をコントロールする制御基板４からなる操作パネルユニット５Ａが構成されている。操作パネルユニット５Ａはキーボード３、制御基板４を内蔵し、表面側にフタＡ１８裏面側にフタＢ１９を設け、全体としてパッケージ化され、ユニットとして扉２Ａへの装着，脱着を可能に構成されている。
【００１２】
操作パネルユニット５Ａの扉２Ａへの組み付け構成を示した図２に基づいて説明する。操作パネルユニット５Ａの上部に設けた凸部２０を扉２Ａ側に位置するスクリーンガラス１７を挟持しながら扉２Ａに設けた凹部２１に矢印２２のように挿入する、またこの動きと連動して操作パネルユニット５Ａの下部側面に設けたボス２３を矢印２４のように扉２Ａ下部側面に装着し、取付ビス２５にて操作パネルユニット５Ａを扉２Ａに係止する構成である。
【００１３】
また、操作パネルユニット５Ａとシールドバン８の間には加熱室１からの蒸気，熱気１３が流入しないように扉２Ａと一体形成された遮蔽壁２６を設け、微少電流，電圧で制御している電気回路が漏電，絶縁不良等の品質トラブルを解消している。
【００１４】
【発明の効果】
以上のように、本発明によれば、加熱室側からの蒸気，熱気が操作パネルユニットに流入することを防ぎ品質トラブルの解消と、操作パネルユニットのサービス時の信頼性の向上及び、使用済み製品のリサイクル時の分解，分別を容易にする。
【００１５】
また、操作パネルユニットは扉に装着時、上部をスクリーンガラスを挟持して扉に挿入固定し、下部を扉の下部側面に取付ビスで係止したことにより、操作パネルユニットの表面を清掃し易いように凹凸のないフラット構造にし、清掃し易く衛生的な製品を提供する。
【図面の簡単な説明】
【図１】  （ａ）本発明の実施例１の高周波加熱装置の外観図
（ｂ）本発明の実施例１の高周波加熱装置の要部断面図
【図２】  本発明の高周波加熱装置の組立順序を示す図
【図３】  従来の構成図
【図４】  従来の構成の組立順序を示す図
【符号の説明】
１  加熱室
２Ａ  扉
３  キーボード
４  制御基板
５Ａ  操作パネルユニット
８  シールドバン
１５  高周波発生装置
１７  スクリーンガラス
２６  遮蔽壁
【図１】
0003932676.tif 000002
【図２】
0003932676.tif 000003
【図３】
0003932676.tif 000004
【図４】
0003932676.tif 000005